(57)【特許請求の範囲】
【請求項１】
クロック信号又は当該クロック信号を生成するための信号を発振するクロック信号発振部と、
ＧＮＳＳ信号に基づいて測位演算を行うことで前記クロック信号の周波数変動を示すクロックドリフトを検出する測位演算部と、
前記測位演算部が検出したクロックドリフトに基づいて前記クロック信号を補正する信号補正部と、
外部へ出力される基準信号を発振する基準信号発振部と、
補正された前記クロック信号と、前記基準信号発振部が出力した前記基準信号と、を比較する比較部と、
前記測位演算部が検出した前記クロックドリフトの変化量が閾値を超えていない場合は、前記比較部の比較結果に基づいて前記基準信号発振部を制御し、前記クロックドリフトの変化量が閾値を超えた場合は、前記クロックドリフトの変化量が閾値を超えていない場合よりも前記比較結果が当該制御に及ぼす影響が小さくなるように前記基準信号発振部を制御する制御部と、
を備えることを特徴とする基準信号発生装置。
【請求項２】
請求項１に記載の基準信号発生装置であって、
前記制御部は、前記クロックドリフトの変化量が閾値を超えた場合は、前記比較結果を用いずに前記基準信号発振部を制御することを特徴とする基準信号発生装置。
【請求項３】
請求項１に記載の基準信号発生装置であって、
前記制御部は、前記クロックドリフトの変化量が閾値を超えた場合は、前記クロックドリフトの変化量が大きくなるに従って前記比較結果の影響が小さくなるように前記基準信号発振部を制御することを特徴とする基準信号発生装置。
【請求項４】
請求項１から３までの何れか一項に記載の基準信号発生装置であって、
前記制御部は、前記クロックドリフトの変化量が閾値以上になってから所定時間が経過した後に、前記クロックドリフトの変化量が閾値を超えていない場合、前記比較結果に基づいて前記基準信号発振部を制御することを特徴とする基準信号発生装置。
【請求項５】
クロック信号又は当該クロック信号を生成するための信号を発振するクロック信号発振工程と、
ＧＮＳＳ信号に基づいて測位演算を行うことで前記クロック信号の周波数変動を示すクロックドリフトを検出する測位演算工程と、
前記測位演算工程で検出したクロックドリフトに基づいて前記クロック信号を補正する信号補正工程と、
基準信号発振部を制御して外部へ出力される基準信号を発振する基準信号発振工程と、
補正された前記クロック信号と、前記基準信号発振工程で出力した前記基準信号と、を比較する比較工程と、
前記測位演算工程で検出した前記クロックドリフトの変化量が閾値を超えていない場合は、前記比較工程での比較結果に基づいて前記基準信号発振部を制御し、前記クロックドリフトの変化量が閾値を超えた場合は、前記クロックドリフトの変化量が閾値を超えていない場合よりも前記比較結果が当該制御に及ぼす影響が小さくなるように前記基準信号発振部を制御する制御工程と、
を含むことを特徴とする基準信号発生方法。
【発明の詳細な説明】
【技術分野】
【０００１】
本発明は、主として、基準信号を外部へ供給する基準信号発生装置に関する。
【背景技術】
【０００２】
従来から、携帯電話の基地局及びデジタル放送の送信局等の無線通信設備には、基準信号発生装置が設置されている。基準信号発生装置は、ＧＮＳＳ衛星から取得した信号に基づいて、周波数及びタイミングが非常に正確な基準信号を出力する。無線通信設備では、この基準信号に基づいて、信号を送信するタイミングを決定したり、信号の周波数の同期を行う。
【０００３】
特許文献１のＧＰＳ受信機は、基準周波数源と、周波数シンセサイザと、を備える。周波数シンセサイザは、基準周波数源が生成した信号に基づいて、ＧＰＳアンテナから取得したＲＦ信号をダウンコンバートするためのローカル信号と、クロック信号と、を生成する。ＧＰＳ受信機は、ダウンコンバートされたＲＦ信号及びクロック信号に基づいて測位演算を行い、リファレンス信号（１ＰＰＳ信号）を生成する。
【０００４】
特許文献２の基準信号発生装置は、位相比較器と、電圧制御発振器と、ループフィルタと、を備える。位相比較器は、ＧＰＳ受信機が生成したリファレンス信号と、電圧制御発振器が出力した基準信号と、を比較して位相差を出力する。ループフィルタは、位相比較器が出力した位相差に基づいて電圧制御発振器を制御する。これにより、正確な基準信号を外部へ出力することができる。
【先行技術文献】
【特許文献】
【０００５】
【特許文献１】特開２０１１−２４７６３７号公報
【特許文献２】特開２０１０−８８０７１号公報
【発明の概要】
【発明が解決しようとする課題】
【０００６】
ここで、電圧制御発振器を基板にハンダ付けしているハンダに含まれる不純物（フラックス等）にクラックが発生している場合、その影響により電圧制御発振器の発振周波数が急激に変化することがある（以下、圧電ノイズの発生等と称する）。また、振動又は急激な温度変化によって電圧制御発振器の発振周波数が急激に変化することもある。このような圧電ノイズ、振動、又は急激な温度変化が生じた場合、特許文献１の基準周波数源が出力するクロック信号の周波数が一時的にズレることが考えられる。クロック信号の周波数がズレた場合、このクロック信号を利用する処理を適切に行うことができないため、正確なリファレンス信号が出力されなくなる。その結果、位相比較器が出力する位相差が大きくなる。しかし、ここで発生した位相差は、基準周波数源の一時的な不具合に起因するものであるため、この位相差を小さくするように電圧制御発振器が制御されることで、基準信号の周波数が設定値からズレてしまう。
【０００７】
本発明は以上の事情に鑑みてされたものであり、その主要な目的は、クロック信号を生成する発振器の周波数が一時的にズレた場合においても基準信号の精度を維持可能な基準信号発生装置を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の基準信号発生装置が提供される。即ち、この基準信号発生装置は、クロック信号発振部と、測位演算部と、信号補正部と、基準信号発振部と、比較部と、制御部と、を備える。前記クロック信号発振部は、クロック信号又は当該クロック信号を生成するための信号を発振する。前記測位演算部は、ＧＮＳＳ信号に基づいて測位演算を行うことで前記クロック信号の周波数変動を示すクロックドリフトを検出する。前記信号補正部は、前記測位演算部が検出したクロックドリフトに基づいて前記クロック信号を補正する。前記基準信号発振部は、外部へ出力される基準信号を発振する。前記比較部は、補正された前記クロック信号と、前記基準信号発振部が出力した前記基準信号と、を比較する。前記制御部は、前記測位演算部が検出した前記クロックドリフトの変化量が閾値を超えていない場合は、前記比較部の比較結果に基づいて前記基準信号発振部を制御し、前記クロックドリフトの変化量が閾値を超えた場合は、前記クロックドリフトの変化量が閾値を超えていない場合よりも前記比較結果が当該制御に及ぼす影響が小さくなるように前記基準信号発振部を制御する。
【００１０】
これにより、圧電ノイズ、振動、又は急激な温度変化等によってクロック信号の周波数が一時的にズレた場合であっても、比較部の比較結果の影響が小さくなるように制御部が基準信号発振部を制御するため、基準信号の精度を維持することができる。
【００１１】
前記の基準信号発生装置においては、前記制御部は、前記クロックドリフトの変化量が閾値を超えた場合は、前記比較結果を用いずに前記基準信号発振部を制御することが好ましい。
【００１２】
これにより、比較結果を全く考慮しないので、クロック信号の周波数のズレが基準信号に及ぼす影響を殆ど無くすことができる。
【００１３】
前記の基準信号発生装置においては、前記制御部は、前記クロックドリフトの変化量が閾値を超えた場合は、前記クロックドリフトの変化量が大きくなるに従って前記比較結果の影響が小さくなるように前記基準信号発振部を制御することが好ましい。
【００１４】
これにより、クロックドリフトの変化量が大きいほどクロック信号が一時的にズレている可能性が高く、位相差又は周波数差等が小さくなるように基準信号発振部を制御した場合の影響も大きいので、一時的な乱れを適切に防止しつつ、一時的な乱れかどうか判断が難しい場合に位相差又は周波数差等の影響をある程度考慮することができる。
【００１５】
前記の基準信号発生装置においては、前記制御部は、前記クロックドリフトの変化量が閾値以上になってから所定時間が経過した後に、前記クロックドリフトの変化量が閾値を超えていない場合、前記比較結果に基づいて前記基準信号発振部を制御することが好ましい。
【００１６】
これにより、クロック信号の周波数の一時的なズレが収まった後に、比較結果に基づく制御を自動的に再開することができる。
【００２３】
本発明の第２の観点によれば、以下の基準信号発生方法が提供される。即ち、この基準信号発生方法は、クロック信号発振工程と、測位演算工程と、信号補正工程と、基準信号発振工程と、比較工程と、制御工程と、を含む。前記クロック信号発振工程では、クロック信号又は当該クロック信号を生成するための信号を発振する。前記測位演算工程では、ＧＮＳＳ信号に基づいて測位演算を行うことで前記クロック信号の周波数変動を示すクロックドリフトを検出する。前記信号補正工程では、前記測位演算工程で検出したクロックドリフトに基づいて前記クロック信号を補正する。前記基準信号発振工程では、基準信号発振部を制御して外部へ出力される基準信号を発振する。前記比較工程では、補正された前記クロック信号と、前記基準信号発振工程で出力した前記基準信号と、を比較する。前記制御工程では、前記測位演算工程で検出した前記クロックドリフトの変化量が閾値を超えていない場合は、前記比較工程での比較結果に基づいて前記基準信号発振部を制御し、前記クロックドリフトの変化量が閾値を超えた場合は、前記クロックドリフトの変化量が閾値を超えていない場合よりも前記比較結果が当該制御に及ぼす影響が小さくなるように前記基準信号発振部を制御する。
【００２４】
これにより、圧電ノイズ、振動、又は急激な温度変化等によってクロック信号の周波数が一時的にズレた場合であっても、比較部の比較結果の影響が小さくなるように制御部が基準信号発振部を制御するため、基準信号の精度を維持することができる。
【図面の簡単な説明】
【００２５】
【図１】第１実施形態に係る基準信号発生装置の構成を示すブロック図。
【図２】位相差及びクロックドリフトの時間変化を示すグラフ。
【図３】位相差を考慮した制御を行うか否かを決定する処理を示すフローチャート。
【図４】クロックドリフトの変化量の推移及び閾値を示すグラフ。
【図５】変形例に係る、位相差を考慮した制御を行うか否かを決定する処理を示すフローチャート。
【図６】第２実施形態に係る、位相差を考慮した制御を行うか否かを決定する処理を示すフローチャート。
【発明を実施するための形態】
【００２６】
次に、図面を参照して本発明の第１実施形態を説明する。第１実施形態の基準信号発生装置１は、携帯電話の基地局又は地上デジタル放送の送信局等の無線通信設備に設置される。
【００２７】
基準信号発生装置１の入力部４１には、ＧＮＳＳアンテナ２が接続されている。ＧＮＳＳアンテナ２は、ＧＮＳＳ衛星（ＧＰＳ衛星等）から測位信号を受信し、この測位信号を基準信号発生装置１へ出力する。基準信号発生装置１は、この測位信号に基づいて、基準信号（基準周波数信号及び基準タイミング信号等）を生成する。基準信号は、上記の無線通信設備の各機器へ出力される。
【００２８】
基準信号発生装置１は、ＧＮＳＳ受信ブロック１０と、基準信号発生ブロック２０と、から構成される。なお、ＧＮＳＳ受信ブロック１０と基準信号発生ブロック２０は、同じ筐体の内部に配置されていても良いし、個別の筐体に配置されて物理的に離れた位置に配置されていても良い。個別の筐体に配置されている場合、ＧＮＳＳ受信ブロック１０をＧＮＳＳ受信機と称し、基準信号発生ブロック２０を基準信号発生装置と称することができる。
【００２９】
ＧＮＳＳ受信ブロック１０は、温度補償型発振器（ＴＣＸＯ、クロック信号発振部）１１と、シンセサイザ１２と、ダウンコンバータ部１３と、ベースバンド処理部１４と、測位演算部１５と、信号補正部１６と、を備える。
【００３０】
温度補償型発振器１１は、水晶振動子を共振器として使用した発振器である。温度補償型発振器１１は、予め設定された周波数の信号を生成し、シンセサイザ１２へ出力する。
【００３１】
シンセサイザ１２は、温度補償型発振器１１が生成した信号に基づいて、復調用信号と、クロック信号と、を生成する。シンセサイザ１２は、復調用信号をダウンコンバータ部１３へ出力するとともに、クロック信号をダウンコンバータ部１３、ベースバンド処理部１４、測位演算部１５、及び信号補正部１６へ出力する。
【００３２】
ダウンコンバータ部１３には、ＧＮＳＳアンテナ２から測位信号が入力されるとともに、シンセサイザ１２から復調用信号が入力される。ダウンコンバータ部１３は、復調用信号を用いて測位信号をダウンコンバートしてＩＦ信号へ変換する。ダウンコンバータ部１３は、ＩＦ信号をベースバンド処理部１４へ出力する。
【００３３】
ベースバンド処理部１４は、シンセサイザ１２が出力したクロック信号をサンプリング周波数として用いてＩＦ信号を復調してベースバンド信号へ変換する。ベースバンド処理部１４は、ベースバンド信号を測位演算部１５へ出力する。
【００３４】
測位演算部１５は、ベースバンド処理部１４から入力されたベースバンド信号に基づいて、航法メッセージを読み取って衛星の軌道を取得し、自機の位置と、自機側の時計の誤差を公知の方法で計算する。測位演算部１５は、この測位演算によって、ＧＮＳＳ衛星に搭載されている高精度な時計に同期した正確な時刻を得ることができる。また、測位演算部１５は、測位演算を行うことにより、クロック信号のクロックオフセット（タイミング誤差）及びクロックドリフト（周波数変動）を算出する。測位演算部１５は、タイミング誤差及びクロックドリフトを信号補正部１６へ出力するとともに、クロックドリフトを更に制御部２２（詳細は後述）へ出力する。
【００３５】
信号補正部１６は、測位演算部１５から入力されたクロックオフセット及びクロックドリフトに基づいてクロック信号を補正する。具体的には信号補正部１６は、タイミング誤差に基づいてクロック信号の立ち上がりのタイミングを補正するとともに、クロックドリフトに基づいて周波数を補正する。また、信号補正部１６は分周器の機能を有しており、補正したクロック信号を分周することで１ＰＰＳ信号を生成する。なお、信号補正部１６とは別に分周器を設けても良い。信号補正部１６は、クロック信号を補正及び分周することで得られる１ＰＰＳ信号を基準信号発生ブロック２０へ出力する。
【００３６】
基準信号発生ブロック２０は、位相比較部（比較部）２１と、制御部２２と、電圧制御発振器（基準信号発振部）２３と、分周部２４と、を備える。
【００３７】
電圧制御発振器２３は、水晶振動子を共振器として使用したＶＣＸＯであり、外部から印加される制御電圧のレベルに応じて、出力する周波数が変更可能に構成されている。電圧制御発振器２３が出力した基準周波数信号は、出力部４２から外部のシステムへ出力される。
【００３８】
分周部２４は、電圧制御発振器２３から入力された基準周波数信号を分周して高い周波数から低い周波数に変換して位相比較部２１へ出力する。また、低い周波数に変換された基準周波数信号は、基準タイミング信号（１ＰＰＳ信号）として出力部４３から外部へ出力される。なお、以下の説明では、基準周波数信号と基準タイミング信号を合わせて基準信号と称する。
【００３９】
位相比較部２１は、分周部２４が出力した基準タイミング信号と、信号補正部１６が出力した１ＰＰＳ信号と、を比較して位相差を算出する。位相比較部２１が算出した位相差は、制御部２２へ出力される。
【００４０】
制御部２２は、位相比較部２１から入力された位相差に基づいて、この位相差をゼロに近づけるように制御電圧を決定して電圧制御発振器２３を制御する。これにより、経時変化や周囲の温度変化等に起因して電圧制御発振器２３の特性の変動が生じたとしても、基準信号発生装置１の基準信号を高精度に保つことができる。なお、上述したように制御部２２には、測位演算部１５からクロックドリフトが入力されている。制御部２２は、このクロックドリフトに基づいて電圧制御発振器２３を制御する（詳細は後述）。
【００４１】
次に、圧電ノイズ、振動、又は急激な温度変化等によって温度補償型発振器１１が出力するクロック信号の周波数が一時的に大きくズレた場合について図２から図４までを参照して説明する。
【００４２】
図２は、位相比較部が出力する位相差と、測位演算部が算出したクロックドリフトと、の時間変化を示すグラフである。このグラフは、周囲の温度を急激に上下させた環境下で、基準信号発生装置を用いて取得されたデータである。図２に示すように、時刻Ｔ１の前後において、クロックドリフトが急激に変化している。時刻Ｔ１の前後において基準信号発生装置が取得している衛星数が十分であったこと等を考慮すると、クロックドリフトの急激な変化は、圧電ノイズ、振動、又は急激な温度変化等に伴って発生する一時的な誤差であると考えられる。なお、クロック信号の周波数の急激な悪化は、周囲の温度を下降させたタイミングで生じている。
【００４３】
また、図２のグラフからは、クロックドリフトが急激に変化するのと略同じタイミングで位相差が急激に変化（悪化）していることが分かる。これは、クロック信号の周波数が急激に変化することにより、基準信号発生ブロック２０の各部のカウントが乱れたためと考えられる。位相差が大きくなると、この位相差を小さくするように電圧制御発振器が制御される。しかし、この位相差は、温度補償型発振器の一時的な不具合に起因する位相差である。従って、この位相差をゼロに近づけるように電圧制御発振器を制御することで、基準周波数信号の周波数が、設定値からズレてしまう。
【００４４】
その後、温度補償型発振器の一時的な周波数のズレが回復した場合、基準周波数信号の周波数が設定値に近づくように制御される。しかし、基準周波数信号の周波数は急激に変化させることができないため、基準周波数信号の周波数が設定値に近づくまでには少し時間が掛かってしまう。このように、従来の制御では、温度補償型発振器の一時的な周波数のズレに適切に対応することができなかった。
【００４５】
この点、本実施形態の制御部２２は、図３のフローチャートに示す制御を行うことにより、温度補償型発振器１１の一時的な周波数のズレに対応することができる。以下、具体的に説明する。なお、図３及びそれ以降のフローチャートで示す処理は一例であり、処理の追加、削除、順序変更等を適宜行うことができる。
【００４６】
制御部２２は、測位演算部１５からクロックドリフトを取得する（Ｓ１０１）。制御部２２は、取得したクロックドリフトの変化量を算出する（Ｓ１０２）。具体的には、直近に取得したクロックドリフトと今回取得したクロックドリフトの差を求めることでクロックドリフトの変化量を算出する。クロックドリフトが増加した場合は変化量は正となり、クロックドリフトが減少した場合はへ変化量は負となる。なお、クロックドリフトの変化量の算出方法は任意であり、直近に取得したクロックドリフトだけでなくその前に取得したクロックドリフトを考慮して決定しても良い。
【００４７】
次に、制御部２２は、Ｓ１０２で算出した変化量の絶対値が閾値を超えるか否かを判定する（Ｓ１０３）。ここで、図４のグラフは、図２の条件下におけるクロックドリフトの変化量と閾値を示すグラフである。基準信号発生装置１には、正の閾値と負の閾値が設定されており、制御部２２は、クロックドリフトの変化量がその間にある場合は「閾値を超えていない」と判断し、正の閾値より大きい又は負の閾値より小さい場合は「閾値を超えた」と判断する。図４に示すように、時刻Ｔ１の直後においてクロックドリフトの変化量は閾値を超えている。
【００４８】
制御部２２は、クロックドリフトの変化量が閾値を超えたと判断した場合、位相比較部２１が検出した位相差を考慮した電圧制御発振器２３の制御を一時的に中断して制御電圧を固定する（Ｓ１０４）。これは、クロックドリフトの変化量が閾値を超えている場合は、温度補償型発振器１１の一時的な不具合に起因して位相差が生じていると考えられるためである。このＳ１０４の処理を行うことにより、基準周波数信号の周波数が設定値からズレることを防止できる。
【００４９】
次に、制御部２２は、Ｓ１０４の処理から所定時間（数秒程度）が経過したと判断した場合（Ｓ１０５）、再びクロックドリフトの変化量が閾値を超えたか否か判定する（Ｓ１０６）。ここで、クロックドリフトの変化量が閾値を超えなくなった場合、温度補償型発振器１１が正常に戻ったと判断して、位相差を考慮した電圧制御発振器２３の制御を再開する（Ｓ１０７）。
【００５０】
以上の処理を繰り返すことにより、温度補償型発振器１１が生成したクロック信号の周波数が一時的にズレた場合であっても、基準周波数信号の周波数のズレを防止できる。従って、図２に示す条件で本実施形態の制御を行った場合、時刻Ｔ１の前後で位相差を考慮した制御が中断されるので、基準周波数信号の周波数が変化しないため、基準周波数信号の周波数が設定値からズレることを防止できる。
【００５１】
次に、図５を参照して、第１実施形態の変形例を説明する。図５は、本変形例の制御部２２が行う制御を示すフローチャートである。なお、図５のＳ２０４及びＳ２０７以外の処理は、図３に示すフローチャートと同じであるので説明を省略する。
【００５２】
上記実施形態では、クロックドリフトの変化量が閾値を超えた場合、位相差を全く考慮せずに電圧制御発振器２３を制御する（換言すれば位相差が制御に及ぼす影響がゼロとなる）。この点、本変形例の制御部２２は、クロックドリフトの変化量が大きくなるに従って、位相差の影響が小さくなるように電圧制御発振器２３を制御する。位相差の影響を調整する方法としては、例えば制御部２２（ループフィルタ）の乗数を変更する方法がある。
【００５３】
ここで、クロックドリフトの変化量が大きい場合、温度補償型発振器１１が出力する周波数が急激に変化しているため、周波数の一時的な乱れが発生している可能性が高い。そのため、本変形例のように制御を行うことで、一時的な乱れを適切に防止しつつ、一時的な乱れかどうか判断が難しい場合に位相差の影響をある程度考慮することができる。
【００５４】
以上に説明したように、第１実施形態の基準信号発生装置１は、温度補償型発振器１１と、測位演算部１５と、信号補正部１６と、電圧制御発振器２３と、位相比較部２１と、制御部２２と、を備える。温度補償型発振器１１は、クロック信号を生成するための信号を発振する。測位演算部１５は、ＧＮＳＳ信号に基づいて測位演算を行うことでクロック信号の周波数変動を示すクロックドリフトを検出する。信号補正部１６は、測位演算部１５が検出したクロックドリフトに基づいてクロック信号を補正する。電圧制御発振器２３は、外部へ出力される基準信号を発振する。位相比較部２１は、補正されたクロック信号と、電圧制御発振器２３が出力した基準信号と、を比較する。制御部２２は、測位演算部１５が検出したクロックドリフトの変化量が閾値を超えていない場合は、位相比較部２１の比較結果に基づいて電圧制御発振器２３を制御し、クロックドリフトの変化量が閾値を超えた場合は、クロックドリフトの変化量が閾値を超えていない場合よりも比較結果が当該制御に及ぼす影響が小さくなるように電圧制御発振器２３を制御する。
【００５５】
これにより、圧電ノイズ、振動、又は急激な温度変化等によってクロック信号の周波数が一時的にズレた場合であっても、位相比較部２１の比較結果の影響が小さくなるように制御部２２が電圧制御発振器２３を制御するため、基準信号の精度を維持することができる。
【００５６】
次に、図６を参照して、第２実施形態について説明する。上記の第１実施形態では、温度補償型発振器１１が出力する信号の周波数が一時的に大きくズレたことを検出するために、クロックドリフトを用いている。これに対し、第２実施形態では、ＧＮＳＳ衛星を検出（サーチ）できたか否かに基づいて、この周波数のズレを検出している。
【００５７】
具体的には、ＧＮＳＳ衛星は、衛星毎に特定の周波数帯が用いられており、受信機側で該当する周波数帯を生成することでＧＮＳＳ衛星を検出している。そのため、圧電ノイズ、振動、又は急激な温度変化等によってクロック信号の周波数が一時的にズレた場合、一定の周波数帯を生成しているつもりであっても異なる周波数帯が生成される。これにより、ＧＮＳＳ衛星を検出できなくなる。なお、ＧＮＳＳ衛星が検出できなくなる他の要因としては、ＧＮＳＳアンテナ２の切断又は時間の経過によるＧＮＳＳ衛星の移動が考えられる。
【００５８】
以下、第２実施形態で行われる制御について図６のフローチャートを参照して説明する。基準信号発生装置１は、ＧＮＳＳ衛星が一斉に検出できなくなったか否かを判断する（Ｓ３０１）。時間の経過によりＧＮＳＳ衛星が移動した場合、ＧＮＳＳ衛星は少しずつ検出できなくなる。そのため、ＧＮＳＳ衛星が一斉に検出できなくなった場合は、温度補償型発振器１１が出力する信号の周波数が一時的に大きくズレたか、ＧＮＳＳアンテナ２が切断されたと考えられる。
【００５９】
基準信号発生装置１は、ＧＮＳＳ衛星が一斉に検出できなくなった場合、ＧＮＳＳアンテナ２の接続状態が正常か否か判断する（Ｓ３０２）。この判断は、アンテナ検出機能を用いて行うことができる。アンテナ検出機能とは、アンテナ電流を参照してＧＮＳＳアンテナが接続されているか否かを検出する機能である。なお、Ｓ３０２の処理は、ＧＮＳＳアンテナ２の接続状態だけでなく、ＧＮＳＳアンテナ２自体が正常か否かを判断しても良い。
【００６０】
ここで、ＧＮＳＳアンテナの接続状態が正常である場合、温度補償型発振器１１が出力する信号の周波数が一時的に大きくズレたと考えられる。従って、この場合は、第１実施形態と同様に位相差を考慮した電圧制御発振器２３の制御を中断する（Ｓ３０３）。その後、所定時間が経過したと判断すると（Ｓ３０４）、基準信号発生装置１は、複数のＧＮＳＳ衛星を検出したか否かを判断する（Ｓ３０５）。複数のＧＮＳＳ衛星を検出できた場合、温度補償型発振器１１が出力する信号が正常に戻ったと考えられるので、位相差を考慮した電圧制御発振器２３の制御を再開する（Ｓ３０６）。
【００６１】
なお、ステップＳ３０１においてＧＮＳＳ衛星が「一斉に」検出できなくなった場合と説明したが、ＧＮＳＳ衛星の検出数が徐々に減少していってＧＮＳＳ衛星が検出できなくなった場合も異常事態と考えられるため、位相差を考慮した電圧制御発振器２３の制御を中断する処理（Ｓ３０３）を行うことも妥当と考えられる。従って、ステップＳ３０１から「一斉に」という限定を外しても良い。
【００６２】
同様に、ステップＳ３０２において、ＧＮＳＳアンテナ２の接続状態が正常でない場合も異常事態と考えられるため、この場合に位相差を考慮した電圧制御発振器２３の制御を中断する処理（Ｓ３０３）を行うことも妥当と考えられる。従って、ステップＳ３０２の処理を省略しても良い。
【００６３】
以上に本発明の好適な実施の形態及び変形例を説明したが、上記の構成は例えば以下のように変更することができる。
【００６４】
上記実施形態では、クロックドリフトの変化量に基づいて位相差の利用の可否を決定したが、同等のパラメータ（クロックバイアスの２階微分等）に基づいて位相差の利用の可否を決定しても良い。
【００６５】
上記実施形態では、２つの信号の位相を比較する位相比較部２１を用いたが、位相比較部２１の代わりに、２つの信号の周波数を比較する周波数比較部を設けても良い。
【００６６】
上記実施形態では、クロック信号発振部として温度補償型発振器１１を用い、基準信号発振部として電圧制御発振器２３を用いる例を説明したが、他の発振器を用いても良い。例えば、ＯＣＸＯ（恒温槽付き水晶発振器）、水晶以外の原子発振器（ルビジウム発振器等）、コイルとコンデンサとで構成されたＬＣ発振器等を用いることができる。
【００６７】
基準信号発生装置１が備える各部は、ハードウェアではなくソフトウェアとして構成することもできる。
【符号の説明】
【００６８】
１  基準信号発生装置
１０  ＧＮＳＳ受信ブロック
１１  温度補償型発振器（クロック信号発振部）
１２  シンセサイザ
１３  ダウンコンバータ部
１４  ベースバンド処理部
１５  測位演算部
１６  信号補正部
２０  基準信号発生ブロック
２１  位相比較部（比較部）
２２  制御部
２３  電圧制御発振器（基準信号発振部）
２４  分周部
【図１】
0006452434.tif 000002
【図２】
0006452434.tif 000003
【図３】
0006452434.tif 000004
【図４】
0006452434.tif 000005
【図５】
0006452434.tif 000006
【図６】
0006452434.tif 000007